(57)【要約】      （修正有）【課題】蓋が弁当箱本体にへばり付くことで開けることが難しくなる状況を回避する自動的に開ける弁当箱を提供する。【解決手段】弁当箱主体１及び前記弁当箱主体の上側に位置する蓋９を含み、前記弁当箱主体の中には上方に開口した収納チャンバ２が設置され、前記収納チャンバの下端壁には固定ブロック４４が設置され、前記固定ブロックの中には挟み機構４３が設置されている。装置は作動する時、蓋の中の機構により蓋を開ける前に蓋の下端面に凝結した凝縮水を導いて水受け溝３の中に流れさせ、開ける時に凝縮水が四方に散り、使用する気分に影響を及ぼすことを回避する。【選択図】図１
2020168331.tif 000002
【特許請求の範囲】
【請求項１】
弁当箱主体及び前記弁当箱主体の上側に位置する蓋を含み、前記弁当箱主体の中には上方に開口した収納チャンバが設置され、前記収納チャンバの下端壁には固定ブロックが設置され、前記固定ブロックの中には挟み機構が設置され、前記挟み機構は上方に開口した昇降チャンバ及び前記昇降チャンバの下側に位置する従動チャンバを含み、前記昇降チャンバの両側端壁にはいずれも前記昇降チャンバを連通するばねチャンバが設置され、前記ばねチャンバの片側端壁には伸縮ばねが設置され、前記伸縮ばねの一端には一端が前記昇降チャンバの中に位置する台形ブロックが設置され、前記台形ブロックの中には前記昇降チャンバを連通する移動溝が設置され、前記移動溝の中には移動板が設置され、前記移動溝の片側端壁には前記移動溝を連通するばね溝が設置され、前記移動板の片側端面には一端が前記ばね溝の中に位置し、且つ前記ばね溝の片側端壁と連結される圧縮ばねが設置され、前記昇降チャンバの中には昇降板が設置され、前記昇降板の下端面には下端が前記昇降チャンバの下端壁と連結される昇降ばねが設置され、前記昇降板の下端面にはまた下端が前記従動チャンバの中に位置する従動ロッドが設置され、前記従動チャンバの中には従動板が設置され、前記従動チャンバの下端壁には電磁石が設置され、前記従動板の上端面には二本の上端がそれぞれ前記ばねチャンバの端壁を貫通し、且つ前記移動板と連結されるロープが設置され、前記蓋の中にはプレス機構が設置され、前記プレス機構は上下端壁がいずれも外界空間を連通する持ち上げチャンバを含み、前記持ち上げチャンバの中には持ち上げ板が設置され、前記持ち上げ板の下端面には下端が前記昇降チャンバの中に位置する下押しロッドが設置され、前記持ち上げ板の下端面には二つの持ち上げばねが設置され、その作用は前記プレス機構と前記挟み機構との係合により前記弁当箱主体の密封を実現することであることを特徴とする自動的に開ける弁当箱。
【請求項２】
前記挟み機構はまた上方に開口した二つの昇降溝を含み、前記昇降溝の片側端壁の中には前記昇降チャンバと前記昇降溝とを連通する持ち上げ溝が設置され、前記昇降溝の向こう側端壁の中には前記昇降溝を連通するセンサー溝が設置され、前記センサー溝の上端壁にはセンサーが設置され、前記センサーの下端面には連結ばねが設置され、前記連結ばねの下端には一端が前記昇降溝の中に位置する連結ロッドが設置され、前記昇降溝の中に位置する連結ロッドには昇降ブロックが固定的に連結され、前記昇降ブロックの上端には一端が前記昇降チャンバの中に位置するリミットロッドが設置され、前記昇降ばねの弾力が前記蓋の重力よりはるかに大きく、その作用は前記蓋が弾む時、前記弁当箱主体から離れることを防止するのであることを特徴とする請求項１に記載の自動的に開ける弁当箱。
【請求項３】
前記プレス機構は下方に開口した二つの回転溝を含み、前記回転溝の上端壁の中には下方に開口した伸縮溝が設置され、前記伸縮溝の上端壁には戻しばねが設置され、前記回転溝の中には二本のサポートロッドが設置され、一本の前記サポートロッドの上端と前記回転溝の上端壁とが連結され、もう一本の前記サポートロッドの上端が前記伸縮溝の中に位置し、且つ前記戻しばねと連結され、前記回転溝の中には冷却板が設置され、前記冷却板の上端面にはそれぞれ前記サポートロッドの下端とヒンジにより連結される二つの回転ブロックが設置され、前記弁当箱主体の上端面には環状ブロックが設置され、前記弁当箱主体の中にはまた上方に開口した水受け溝が設置され、前記蓋の下端面には下方に開口した環状溝が設置され、前記環状溝の中にはゴムリングが設置され、前記持ち上げ板の両端にはそれぞれ一端が前記伸縮溝の中の前記サポートロッドと連結されるチェーンが連結され、前記下押しロッドの下端には二つのリミットブロックが固定的に設置され、その作用は前記冷却板にある凝縮水を前記水受け溝に流れさせるのであることを特徴とする請求項１に記載の自動的に開ける弁当箱。
【発明の詳細な説明】
【技術分野】
【０００１】
本発明は包装分野に関わり、具体的には自動的に開ける弁当箱である。
【背景技術】
【０００２】
目下、今までの弁当箱は熱い食品を包装する時、しばらくして弁当箱の蓋の下端面に凝縮水が凝結しやすく、使用者が弁当箱を開ける時に凝縮水が四方に散ることが発生しやすく、それにより食べ物を食べる気分に影響し、また弁当箱本体が蓋にへばり付くことにより開けにくいこともあり、使用に影響する。
【先行技術文献】
【特許文献】
【０００３】
【特許文献１】中国特許出願公開第１０４１７６３４８号明細書
【発明の概要】
【発明が解決しようとする課題】
【０００４】
本発明は自動的に開ける弁当箱を提供し、既存技術にある上記の欠点を解消することを目的とする。
【課題を解決するための手段】
【０００５】
上記の目的を実現するため、本発明は以下の技術プランを提供する：自動的に開ける弁当箱は、弁当箱主体及び前記弁当箱主体の上側に位置する蓋を含み、前記弁当箱主体の中には上方に開口した収納チャンバが設置され、前記収納チャンバの下端壁には固定ブロックが設置され、前記固定ブロックの中には挟み機構が設置され、前記挟み機構は上方に開口した昇降チャンバ及び前記昇降チャンバの下側に位置する従動チャンバを含み、前記昇降チャンバの両側端壁にはいずれも前記昇降チャンバを連通するばねチャンバが設置され、前記ばねチャンバの片側端壁には伸縮ばねが設置され、前記伸縮ばねの一端には一端が前記昇降チャンバの中に位置する台形ブロックが設置され、前記台形ブロックの中には前記昇降チャンバを連通する移動溝が設置され、前記移動溝の中には移動板が設置され、前記移動溝の片側端壁には前記移動溝を連通するばね溝が設置され、前記移動板の片側端面には一端が前記ばね溝の中に位置し、且つ前記ばね溝の片側端壁と連結される圧縮ばねが設置され、前記昇降チャンバの中には昇降板が設置され、前記昇降板の下端面には下端が前記昇降チャンバの下端壁と連結される昇降ばねが設置され、前記昇降板の下端面にはまた下端が前記従動チャンバの中に位置する従動ロッドが設置され、前記従動チャンバの中には従動板が設置され、前記従動チャンバの下端壁には電磁石が設置され、前記従動板の上端面には二本の上端がそれぞれ前記ばねチャンバの端壁を貫通し、且つ前記移動板と連結されるロープが設置され、前記蓋の中にはプレス機構が設置され、前記プレス機構は上下端壁がいずれも外界空間を連通する持ち上げチャンバを含み、前記持ち上げチャンバの中には持ち上げ板が設置され、前記持ち上げ板の下端面には下端が前記昇降チャンバの中に位置する下押しロッドが設置され、前記持ち上げ板の下端面には二つの持ち上げばねが設置され、その作用は前記プレス機構と前記挟み機構との係合により前記弁当箱主体の密封を実現することである。
【０００６】
好ましくは、前記挟み機構はまた上方に開口した二つの昇降溝を含み、前記昇降溝の片側端壁の中には前記昇降チャンバと前記昇降溝とを連通する持ち上げ溝が設置され、前記昇降溝の向こう側端壁の中には前記昇降溝を連通するセンサー溝が設置され、前記センサー溝の上端壁にはセンサーが設置され、前記センサーの下端面には連結ばねが設置され、前記連結ばねの下端には一端が前記昇降溝の中に位置する連結ロッドが設置され、前記昇降溝の中に位置する連結ロッドには昇降ブロックが固定的に連結され、前記昇降ブロックの上端には一端が前記昇降チャンバの中に位置するリミットロッドが設置され、前記昇降ばねの弾力が前記蓋の重力よりはるかに大きく、その作用は前記蓋が弾む時、前記弁当箱主体から離れることを防止するのである。
【０００７】
好ましくは、前記プレス機構は下方に開口した二つの回転溝を含み、前記回転溝の上端壁の中には下方に開口した伸縮溝が設置され、前記伸縮溝の上端壁には戻しばねが設置され、前記回転溝の中には二本のサポートロッドが設置され、一本の前記サポートロッドの上端と前記回転溝の上端壁とが連結され、もう一本の前記サポートロッドの上端が前記伸縮溝の中に位置し、且つ前記戻しばねと連結され、前記回転溝の中には冷却板が設置され、前記冷却板の上端面にはそれぞれ前記サポートロッドの下端とヒンジにより連結される二つの回転ブロックが設置され、前記弁当箱主体の上端面には環状ブロックが設置され、前記弁当箱主体の中にはまた上方に開口した水受け溝が設置され、前記蓋の下端面には下方に開口した環状溝が設置され、前記環状溝の中にはゴムリングが設置され、前記持ち上げ板の両端にはそれぞれ一端が前記伸縮溝の中の前記サポートロッドと連結されるチェーンが連結され、前記下押しロッドの下端には二つのリミットブロックが固定的に設置され、その作用は前記冷却板にある凝縮水を前記水受け溝に流れさせるのである。
【発明の効果】
【０００８】
以上により、本発明の有益な効果は：本発明は構造が簡単で、操作が便利であり、蓋の中の機構により蓋を開ける前に蓋の下端面に凝結した凝縮水を導いて水受け溝の中に流れさせ、開ける時に凝縮水が四方に散り、使用する気分に影響を及ぼすことを回避し、簡単な操作により弁当箱が自動的に開け、蓋が弁当箱本体にへばり付くことで開けることが難しくなる状況を回避する。
【図面の簡単な説明】
【０００９】
発明の実施例または既存の技術の中の技術方案をより詳しく説明できるため、下記には実施例または既存の技術を説明することに必要な付図に対して簡単な紹介を行い、明らかなように、下記の付図はただ発明の一部分の実施例であり、当業者にとって、創造的な労働を払わなくても、これらの付図に基づいて他の付図を獲得することができる；下記に図１−４を合わせて本発明を詳しく説明し、意思の疎通をもっと便利にするため、後文に出る方位を以下の通りに規定する：後文に出る上下左右前後の方向は図１自体の投影関係の上下左右前後の方向と一致している。
【００１０】
【図１】図１は本発明の自動的に開ける弁当箱の全体全断面の正面構造模式図である；
【図２】図２は本発明の自動的に開ける弁当箱のセンサー溝のところの構成局部断面の正面拡大模式図である；
【図３】図３は本発明の自動的に開ける弁当箱の移動溝のところの構成局部断面の正面拡大模式図である；
【図４】図４は本発明の自動的に開ける弁当箱の従動チャンバのところの構成局部断面の正面拡大模式図である。
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１−４を参照して、本発明の実施例は：自動的に開ける弁当箱は、弁当箱主体１及び前記弁当箱主体１の上側に位置する蓋９を含み、前記弁当箱主体１の中には上方に開口した収納チャンバ２が設置され、前記収納チャンバ２の下端壁には固定ブロック４４が設置され、前記固定ブロック４４の中には挟み機構４３が設置され、前記挟み機構４３は上方に開口した昇降チャンバ２５及び前記昇降チャンバ２５の下側に位置する従動チャンバ３３を含み、前記昇降チャンバ２５の両側端壁にはいずれも前記昇降チャンバ２５を連通するばねチャンバ４０が設置され、前記ばねチャンバ４０の片側端壁には伸縮ばね３９が設置され、前記伸縮ばね３９の一端には一端が前記昇降チャンバ２５の中に位置する台形ブロック３８が設置され、前記台形ブロック３８の中には前記昇降チャンバ２５を連通する移動溝３５が設置され、前記移動溝３５の中には移動板２８が設置され、前記移動溝３５の片側端壁には前記移動溝３５を連通するばね溝２７が設置され、前記移動板２８の片側端面には一端が前記ばね溝２７の中に位置し、且つ前記ばね溝２７の片側端壁と連結される圧縮ばね２６が設置され、前記昇降チャンバ２５の中には昇降板３４が設置され、前記昇降板３４の下端面には下端が前記昇降チャンバ２５の下端壁と連結される昇降ばね３０が設置され、前記昇降板３４の下端面にはまた下端が前記従動チャンバ３３の中に位置する従動ロッド３１が設置され、前記従動チャンバ３３の中には従動板４５が設置され、前記従動チャンバ３３の下端壁には電磁石３２が設置され、前記従動板４５の上端面には二本の上端がそれぞれ前記ばねチャンバ４０の端壁を貫通し、且つ前記移動板２８と連結されるロープ３６が設置され、前記蓋９の中にはプレス機構４２が設置され、前記プレス機構４２は上下端壁がいずれも外界空間を連通する持ち上げチャンバ１９を含み、前記持ち上げチャンバ１９の中には持ち上げ板１７が設置され、前記持ち上げ板１７の下端面には下端が前記昇降チャンバ２５の中に位置する下押しロッド１５が設置され、前記持ち上げ板１７の下端面には二つの持ち上げばね１４が設置され、その作用は前記プレス機構４２と前記挟み機構４３との係合により前記弁当箱主体１の密封を実現することである。
【００１３】
有益なように、前記挟み機構４３はまた上方に開口した二つの昇降溝２０を含み、前記昇降溝２０の片側端壁の中には前記昇降チャンバ２５と前記昇降溝２０とを連通する持ち上げ溝１６が設置され、前記昇降溝２０の向こう側端壁の中には前記昇降溝２０を連通するセンサー溝２３が設置され、前記センサー溝２３の上端壁にはセンサー４１が設置され、前記センサー４１の下端面には連結ばね２２が設置され、前記連結ばね２２の下端には一端が前記昇降溝２０の中に位置する連結ロッド２４が設置され、前記昇降溝２０の中に位置する連結ロッド２４には昇降ブロック２１が固定的に連結され、前記昇降ブロック２１の上端には一端が前記昇降チャンバ２５の中に位置するリミットロッド１８が設置され、前記昇降ばね３０の弾力が前記蓋９の重力よりはるかに大きく、その作用は前記蓋９が弾む時、前記弁当箱主体１から離れることを防止するのである。
【００１４】
有益なように、前記プレス機構４２は下方に開口した二つの回転溝８を含み、前記回転溝８の上端壁の中には下方に開口した伸縮溝１２が設置され、前記伸縮溝１２の上端壁には戻しばね４６が設置され、前記回転溝８の中には二本のサポートロッド１１が設置され、一本の前記サポートロッド１１の上端と前記回転溝８の上端壁とが連結され、もう一本の前記サポートロッド１１の上端が前記伸縮溝１２の中に位置し、且つ前記戻しばね４６と連結され、前記回転溝８の中には冷却板４が設置され、前記冷却板４の上端面にはそれぞれ前記サポートロッド１１の下端とヒンジにより連結される二つの回転ブロック１０が設置され、前記弁当箱主体１の上端面には環状ブロック５が設置され、前記弁当箱主体１の中にはまた上方に開口した水受け溝３が設置され、前記蓋９の下端面には下方に開口した環状溝７が設置され、前記環状溝７の中にはゴムリング６が設置され、前記持ち上げ板１７の両端にはそれぞれ一端が前記伸縮溝１２の中の前記サポートロッド１１と連結されるチェーン１３が連結され、前記下押しロッド１５の下端には二つのリミットブロック２９が固定的に設置され、その作用は前記冷却板４にある凝縮水を前記水受け溝３に流れさせるのである。
【００１５】
下記に、出願人は附図１−４及び上記の本出願の自動的に開ける弁当箱の具体的な構成を参考して本出願の自動的に開ける弁当箱の使用方法を詳しく紹介する：
【００１６】
手動で蓋９を下へ押し、それにより下押しロッド１５の下端が昇降チャンバ２５の中に入り、それにより昇降板３４が降り、台形ブロック３８が両側へ運動し、昇降ばね３０と伸縮ばね３９とが圧縮され、リミットブロック２９が移動溝３５の中に入った後に移動板２８を連動させ両側へ運動させ、圧縮ばね２６が圧縮され、ロープ３６の伝動により、従動板４５の自重の影響のもとで従動板４５が降り、また従動ロッド３１の下端が昇降板３４とともに従動チャンバ３３の中に入り、且つ従動板４５と接触し、環状ブロック５の上端が環状溝７の中に挿入された時にゴムリング６が曲がり、それにより蓋９が弁当箱にぴったりと付く。
【００１７】
開ける時、持ち上げ板１７を押し、それにより下押しロッド１５と、昇降板３４と従動ロッド３１とを連動させて下降させ、それにより従動板４５が降りて電磁石３２と接触し相互に吸引し合い、ロープ３６の伝動により、移動板２８と台形ブロック３８とを連動させ両側へ運動させ、それにより移動溝３５がリミットブロック２９から分離し、持ち上げ板１７が降り、チェーン１３の伝動により片側のサポートロッド１１を上昇させ、それにより冷却板４が傾き、持ち上げ板１７をリリースし、昇降ばね３０がリセットし、昇降板３４と、下押しロッド１５と蓋９を上昇連動させ、それにより弁当箱主体１を開け、リミットロッド１８の一端との摩擦伝動により、リミットブロック２９の上昇速度が下がり、またリミットブロック２９がリミットロッド１８を上昇連動させ、リミットロッド１８の上昇が昇降ブロック２１と連結ロッド２４とを上昇連動させ、連結ロッド２４が上昇してセンサー４１と接触した後にセンサー４１が電磁石３２を制御して電磁石３２の作動を停止させ、蓋９を取り出した後、挟み装置４３がリセットする。
【００１８】
本発明の有益な効果は：本発明は構造が簡単で、操作が便利であり、蓋の中の機構により蓋を開ける前に蓋の下端面に凝結した凝縮水を導いて水受け溝の中に流れさせ、開ける時に凝縮水が四方に散り、使用する気分に影響を及ぼすことを回避し、簡単な操作により弁当箱が自動的に開け、蓋が弁当箱本体にへばり付くことで開けることが難しくなる状況を回避する。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定した保護範囲を基準とするべきである。
【図１】
2020168331.tif 000003
【図２】
2020168331.tif 000004
【図３】
2020168331.tif 000005
【図４】
2020168331.tif 000006
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
弁当箱主体及び前記弁当箱主体の上側に位置する蓋を含み、前記弁当箱主体の中には上方に開口した収納チャンバが設置され、前記収納チャンバの下端壁には固定ブロックが設置され、前記固定ブロックの中には挟み機構が設置され、前記挟み機構は上方に開口した昇降チャンバ及び前記昇降チャンバの下側に位置する従動チャンバを含み、前記昇降チャンバの両側端壁にはいずれも前記昇降チャンバを連通するばねチャンバが設置され、前記ばねチャンバの片側端壁には伸縮ばねが設置され、前記伸縮ばねの一端には一端が前記昇降チャンバの中に位置する台形ブロックが設置され、前記台形ブロックの中には前記昇降チャンバを連通する移動溝が設置され、前記移動溝の中には移動板が設置され、前記移動溝の片側端壁には前記移動溝を連通するばね溝が設置され、前記移動板の片側端面には一端が前記ばね溝の中に位置し、且つ前記ばね溝の片側端壁と連結される圧縮ばねが設置され、前記昇降チャンバの中には昇降板が設置され、前記昇降板の下端面には下端が前記昇降チャンバの下端壁と連結される昇降ばねが設置され、前記昇降板の下端面にはまた下端が前記従動チャンバの中に位置する従動ロッドが設置され、前記従動チャンバの中には従動板が設置され、前記従動チャンバの下端壁には電磁石が設置され、前記従動板の上端面には二本の上端がそれぞれ前記ばねチャンバの端壁を貫通し、且つ前記移動板と連結されるロープが設置され、前記蓋の中にはプレス機構が設置され、前記プレス機構は上下端壁がいずれも外界空間を連通する持ち上げチャンバを含み、前記持ち上げチャンバの中には持ち上げ板が設置され、前記持ち上げ板の下端面には下端が前記昇降チャンバの中に位置する下押しロッドが設置され、前記持ち上げ板の下端面には二つの持ち上げばねが設置され、その作用は前記プレス機構と前記挟み機構との係合により前記弁当箱主体の密封を実現し、
前記挟み機構はまた上方に開口した二つの昇降溝を含み、前記昇降溝の片側端壁の中には前記昇降チャンバと前記昇降溝とを連通する持ち上げ溝が設置され、前記昇降溝の向こう側端壁の中には前記昇降溝を連通するセンサー溝が設置され、前記センサー溝の上端壁にはセンサーが設置され、前記センサーの下端面には連結ばねが設置され、前記連結ばねの下端には一端が前記昇降溝の中に位置する連結ロッドが設置され、前記昇降溝の中に位置する連結ロッドには昇降ブロックが固定的に連結され、前記昇降ブロックの上端には一端が前記昇降チャンバの中に位置するリミットロッドが設置され、前記昇降ばねの弾力が前記蓋の重力よりはるかに大きく、その作用は前記蓋が弾む時、前記弁当箱主体から離れることを防止するのであり、
前記プレス機構は下方に開口した二つの回転溝を含み、前記回転溝の上端壁の中には下方に開口した伸縮溝が設置され、前記伸縮溝の上端壁には戻しばねが設置され、前記回転溝の中には二本のサポートロッドが設置され、一本の前記サポートロッドの上端と前記回転溝の上端壁とが連結され、もう一本の前記サポートロッドの上端が前記伸縮溝の中に位置し、且つ前記戻しばねと連結され、前記回転溝の中には冷却板が設置され、前記冷却板の上端面にはそれぞれ前記サポートロッドの下端とヒンジにより連結される二つの回転ブロックが設置され、前記弁当箱主体の上端面には環状ブロックが設置され、前記弁当箱主体の中にはまた上方に開口した水受け溝が設置され、前記蓋の下端面には下方に開口した環状溝が設置され、前記環状溝の中にはゴムリングが設置され、前記持ち上げ板の両端にはそれぞれ一端が前記伸縮溝の中の前記サポートロッドと連結されるチェーンが連結され、前記下押しロッドの下端には二つのリミットブロックが固定的に設置され、その作用は前記冷却板にある凝縮水を前記水受け溝に流れさせるのであることを特徴とする自動的に開ける弁当箱。